(57)【要約】【課題】質感の重視される化粧筆や液体化粧料塗布具に、これらに相応しいグラディエーションの伴った立体感のある模様を、簡単な手段でコスト低廉に表現できるようにし、かつ、その多様性にも対応できるようにする。また、化粧料が付着しても容易に払拭でき、長年にわたってその美観が維持できるようにする。【解決手段】化粧筆１の筆軸４を、中心に所望形状の中空部４Ａａが設けられた略筒形の外部材４Ａと、この外部材４Ａの前記中空部４Ａａ内に挿入される芯材４Ｂの二部材で構成した。そして、前記外部材４Ａを透光性を有する樹脂やガラスで形成すると共に、芯材４Ｂの表面には、所望の色彩模様を施すこととした。このことで芯材４Ｂ表面の色彩模様が、その周囲に位置した透光性を有する外部材４Ａのレンズ効果により、外部から立体的に視認されるようにした。【選択図】図１
2005176863.tif 000002
【特許請求の範囲】
【請求項１】
筆毛を束ねた筆穂を止着するための筆軸が、所望形状の中空部が設けられた略筒形に透光性を有する樹脂やガラスで形成された外部材と、表面に所望の色彩模様が施され、前記中空部内に挿着される芯材とで構成され、芯材表面の色彩模様が外部材のレンズ効果により、外部から立体的に視認されるようになされたことを特徴とする化粧筆。  
【請求項２】
外部材の中空部と、この中空部内に挿着された芯材との間に間隙を生じるように、中空部と芯材が異なる断面形状に形成されていることを特徴とする請求項１記載の化粧筆。
【請求項３】
液体化粧料が収容された容器本体と、この容器本体の開口部を塞ぐように取り付けられるキャップと、キャップの下方に突出するように一体的に設けられたブラシ軸とを具備した液体化粧料塗布具において、
上記キャップが、所望形状の中空部が設けられた略筒形に透光性を有する樹脂やガラスで形成された外部材と、表面に所望の色彩模様が施され、前記中空部内に挿着される芯材とで構成され、芯材表面の色彩模様が外部材のレンズ効果により、外部から立体的に視認されるようになされたことを特徴とする液体化粧料塗布具。
【請求項４】
外部材の中空部と、この中空部内に挿着された芯材との間に間隙を生じるように、中空部と芯材が異なる断面形状に形成されていることを特徴とする請求項３記載の液体化粧料塗布具。
【請求項５】
ブラシ軸の基端側を芯材に共通させたことを特徴とする請求項３記載の液体化粧料塗布具。
【発明の詳細な説明】
【技術分野】
【０００１】
本発明は、フェイスブラシ、アイシャドーブラシ、リップブラシなどの化粧筆や、マスカラ、アイライナー、リップグロスといった液体化粧料を塗布するための塗布具に関する。
【背景技術】
【０００２】
一般にこの種の化粧筆は、筆毛を束ねてなる筆穂を、環状の口金などを用いて筆軸の先端に一体的に取り付けて形成されている。また、液体化粧料塗布具は、先端にブラシが設けられたブラシ軸を、液体化粧料が収容された容器本体の開口部を塞ぐキャップに一体的に取り付けて形成されている。
【０００３】
ここにおいて、従来の化粧筆や液体化粧料塗布具では、筆軸やキャップの表面にシルクスクリーン印刷やホットスタンプといった加飾処理を施すことで、金属光沢をもたせて高級感を付与したり、木目や種々の模様を付けることで質感や触感を付与したりして差別化が図られていた。
【０００４】
しかしながら、この加飾処理（シルクスクリーン印刷やホットスタンプ）は、表面的な加工に過ぎず、質感が重視されるこの種の化粧用具の加飾としては、不十分なものであった。
【０００５】
この点を改善した従来のものとしては、キャップや容器本体の外表面に直接、和紙や布、皮革等を貼り付け、このことで化粧料塗布具に従来には味わうことのできなかった質感や触感を与えるようにしたものがあった。（例えば、特許文献１参照）。
【特許文献１】特開２００３−１２５８４１号公報（第３−４頁、第１図）
【発明の開示】
【発明が解決しようとする課題】
【０００６】
上述した従来のシルクスクリーン印刷やホットスタンプによる化粧筆や塗布具の表面の加飾は、平面的で質感が伴わないという問題点があり、また、和紙や布、皮革等を貼り付けるようにしたものは、その貼り付け作業が困難で手間を要し、生産性が悪いという問題点があった。
【０００７】
また、このように和紙や布、皮革等を貼り付けた場合、従来には味わうことのできなかった質感や触感を得ることはできるものの、この質感や触感は、もともと貼り付けられる素材自体が有しているものであり、したがって、そのバリエーションには限りがあった。さらにこの方法は、表面的な加工のため立体感や奥行き感も表現することができず、結果として商品としての多様性をはかることができないという問題点もあった。
【０００８】
さらにまた、このように表面に和紙や布、皮革等を貼り付けた場合、化粧料が付着すると払拭することが困難であり、この種の化粧具にとって致命的な汚れ易いという問題点も有していた。
【０００９】
本発明は、上記従来の化粧筆や化粧料塗布具が有していた問題点の解決を課題とする。
【課題を解決するための手段】
【００１０】
上記の問題点を解決するために、本発明のうち、請求項１記載の発明は、筆毛を束ねた筆穂を止着するための化粧筆の筆軸を、所望形状の中空部が設けられた略筒形に透光性を有する樹脂やガラスで形成された外部材と、表面に所望の色彩模様が施され、前記中空部内に挿着される芯材とで構成し、芯材表面の色彩模様が外部材のレンズ効果により、外部から立体的に視認されるようにしたことを特徴とする。
【００１１】
請求項２記載の発明は、上記請求項１記載の発明の構成において、外部材の中空部と、この中空部内に挿着された芯材との間に間隙を生じるように、中空部と芯材が異なる断面形状に形成されたものと限定したことを特徴とする。
【００１２】
請求項３記載の発明は、液体化粧料が収容された容器本体と、この容器本体の開口部を塞ぐように取り付けられるキャップと、キャップの下方に突出するように一体的に設けられたブラシ軸とを具備した液体化粧料塗布具において、上記キャップを、所望形状の中空部が設けられた略筒形に透光性を有する樹脂やガラスで形成された外部材と、表面に所望の色彩模様が施され、前記中空部内に挿着される芯材とで構成し、芯材表面の色彩模様が外部材のレンズ効果により外部から立体的に視認されるようにしたことを特徴とする。
【００１３】
請求項４記載の発明は、上記請求項３記載の発明の構成において、外部材の中空部と、この中空部内に挿着された芯材との間に間隙を生じるように、中空部と芯材が異なる断面形状に形成されたものと限定したことを特徴とする。
【００１４】
請求項５記載の発明は、上記請求項３記載の発明の構成において、ブラシ軸の基端側を芯材に共通させたことを特徴とする。
【発明の効果】
【００１５】
本発明のうち、請求項１記載の発明では、筆軸を樹脂やガラスで形成された透光性を有する外部材と、この外部材内に挿入される所定形状の芯材とで構成し、この芯材の表面に所望の着色模様を施すこととしたので、この模様が筆軸の内部に位置し、しかも芯材の形状による模様の変化が、外部材のレンズ効果と相まって立体感を生じさせるように作用する。よって、化粧筆に従来には見られない立体的な模様による加飾が可能となり、しかも芯材の形状と着色模様の組み合わせにより、多様な模様の表現が可能となり、化粧筆の美観の向上およびそのバリエーションの多様性に対応し得るという効果がある。また、表面材である外部材は、合成樹脂やガラスで構成されているので、汚れが付き難く、汚れても容易に払拭することができ、清潔でかつ、長年にわたって初期の美観を維持できるという効果もある。
【００１６】
請求項２記載の発明は、中空部と芯材を異なる断面形状としたので、芯材と外部材との間に間隙を生じ、外部材のレンズ効果と相まって一層多様な立体模様の表現が可能となり、化粧筆の美観の向上およびその多様性に対応し得るという効果がある。
【００１７】
請求項３記載の発明は、液体化粧料塗布具のキャップを、透光性を有する外部材と、この外部材内に収納される所定形状の芯材とで構成し、芯材に着色模様を施すこととしたので、化粧料塗布具に従来には見られない立体模様による加飾が可能となり、美観の向上、及びその多様性に対応し得るという効果がある。また、表面材である外部材は、合成樹脂やガラスで構成されているので、汚れが付き難く、汚れても容易に払拭することができ、清潔で長年にわたって初期の美観を維持できるという効果がある。
【００１８】
請求項４記載の発明は、中空部と芯材を異なる断面形状としたので、芯材と外部材との間に間隙を生じ、外部材のレンズ効果と相まって一層多様な立体模様の表現が可能となり、液体化粧料塗布具の美観の向上およびその多様性に対応し得るという効果がある。
【００１９】
請求項５記載の発明は、ブラシ軸が芯材を兼ねるようにしたので、構成が簡素化され、部品点数の削減および組立て工程の簡素化が図られるという効果がある。
【発明を実施するための最良の形態】
【００２０】
以下、本発明を図示した実施の最良の形態に基づき詳細に説明する。
【００２１】
図１は、本発明に係る化粧筆を示した簡略斜視図、図２は、この化粧筆の筆軸部分の拡大斜視図である。また、図３は、図２に示した筆軸の側面図である。図示したように、この化粧筆１は、従来のものと全く同様に、筆毛を束ねてなる筆穂２を、環状の口金３などを用いて筆軸４の先端に一体的に取り付けて形成されており、フェイスブラシ、アイシャドーブラシ、リップブラシ等として使用されるものである。
【００２２】
ここにおいて、本発明の化粧筆１では、筆穂２が止着される筆軸４を、中心に中空部４Ａａが設けられた略筒形の外部材４Ａと、この外部材４Ａの内部に挿入される芯材４Ｂとの二部材で構成している。
【００２３】
上記外部材４Ａは、透明あるいは半透明の合成樹脂やガラスで、その外形が円柱状に形成されており、中心の縦方向には、所定形状（ここでは角孔状）の中空部４Ａａが設けられている。
【００２４】
芯材４Ｂは、上記外部材４Ａの中空部４Ａａと同形状（ここでは角柱状）に、この外部材４Ａと同様に透明あるいは半透明の合成樹脂やガラスで形成されており、その各外側面４Ｂａには、異なる色による着色模様４Ｂｂが、それぞれ所定の幅で縦方向に施されている。
【００２５】
本発明の化粧筆１は、上記の構成を有している。
【００２６】
なお、図示した例では、構造を分かり易くするため、筆軸４の上端に芯材４Ｂの端面が露呈した状態を示したが、この端面は必要に応じて非透光性材などを用いて塞がれるようになっている。
【００２７】
上記の構成により本発明の化粧筆１では、筆軸４の内部に所望の着色模様４Ｂｂを容易に施すことができ、しかもこの着色模様４Ｂｂは、その外方に位置した外部材４Ａの厚みの差によるレンズ効果により、図２並びに図３に示すように見る角度により、異なった色調に重なり合い、視認される。よって、芯材４Ｂに施された色彩模様４Ｂｂが単純なものであったとしても、外部材４Ａと芯材４Ｂを透過することにより、色が微妙に混ざり合い、透光性を有する外部材４Ａのレンズ効果と相まって画一的でない複雑な模様が外部材４Ａの表面に現れ、かつ、深みのある微妙な色調や、立体感も表現されることとなる。
【００２８】
このように本発明の化粧筆１では、筆軸４の内部に所望の色彩模様４Ｂｂが施され、この色彩模様４Ｂｂをベースとして、筆軸４の表面に種々の模様が現れるようになっているので、芯材４Ｂに施す模様の位置や色彩の組み合わせ、及び芯材４Ｂと外部材４Ａの形状の違い等により、色の濃淡によるグラディエーションを伴う種々の模様が表現されることとなり、そのデザインバリエーションが際限なく拡がるものである。
【００２９】
また、このように本発明の化粧筆１では、表面材である外部材４Ａが、合成樹脂やガラスで形成されているので、汚れが付き難く、汚れても容易に払拭することができる。よって、清潔に使用することができ、その外観も長年にわたって初期の美観を維持することができるものである。
【００３０】
なお、上記外部材４Ａは、芯材４Ｂの表面に施された着色模様４Ｂｂが透過できるものであれば良く、その外観形状は、周囲が楕円形の柱状、あるいは四角や六角などの角柱状のものであっても良い。また、芯材４Ｂが挿入される中空部４Ａａも角孔や円孔、あるいは十字孔など、どのようなものであっても良い。さらにこの中空部４Ａａに挿着される芯材２４Ｂも、中空部２４Ａａに挿入可能な形状と大きさのものであればどのようなものであっても良く、例えば、図６に示したように、角孔状の中空部２４Ａａが設けられた外部材２４Ａの内部に、この中空部２４Ａａの対角線方向に挿入されるように、板状に形成されたもの（符号２４Ｂで示す）であっても良い。なお、この場合、芯材２４の表面と外部材２４Ａとの間には、平面視略三角形状の間隙が形成されることとなる。そして、このように外部材２４Ａの内部に空間を形成することとすれば、外部材２４Ａを構成した素材と空気との屈折率の違いにより、外部材２４Ａの表面には、一層趣の異なった色彩模様が現れることとなる。
【００３１】
図４は、本発明に係る液体化粧料塗布具の分解斜視図、図５は、この液体化粧料塗布具を構成したキャップの平面図である。
【００３２】
この液体化粧料塗布具１１もその基本構成は、従来のものと同様であり、マスカラやアイライナー、リップグロスといった液体化粧料が収容された容器本体１２と、この容器本体１２の開口部１２ａを塞ぐキャップ１４と、キャップ１４の下端に一体的に取り付けられたブラシ軸１３とで構成されている。
【００３３】
ここにおいて本発明の液体化粧料塗布具１１では、上記キャップ１４を合成樹脂やガラスなどの透光性を有する素材で形成された外部材１４Ａと、この外部材１４Ａの中心の縦方向に設けられた三角孔状の中空部１４Ａａに挿入される三角柱状の芯材１４Ｂとで構成している。そして、この芯材１４Ｂの表面に所望の色彩模様（図示せず）を施すことにより、この模様を外部材１４Ａを透過させて外部から視認すれば、上述した化粧筆の筆軸と同様に、芯材１４Ｂに施した模様の位置や色彩の組み合わせ、及び芯材１４Ｂと外部材１４Ａの形状の違い等により、模様を透過する外部材１４Ａの厚みの違いによるレンズ効果と相まって、外部材１４Ａの表面には、見る角度によって色の重なり合いやその濃淡によるグラディエーションを伴う種々の異なる模様が出現することとなる。よって、立体感を有する多様な模様を表現することが可能となるものである。
【００３４】
なお、上記芯材１４Ｂは、ブラシ軸１３と別体であっても良いが、ブラシ軸１３の基端側（図４において上半部分）を延長して芯材の機能を兼ねさせるようにしても良い。また、この芯材１４Ｂは、透過する色彩模様の都合上、外部材１４Ａと同様に透明あるいは半透明体で形成されていることが望ましいが、単に模様を立体的にキャップ１４の内部に表示するだけであれば、透光性を有しないものであっても良い。
【００３５】
また、この液体化粧料塗布具１１における外部材１４Ａも、その外観形状を上述した化粧筆の筆軸と同様に楕円形としても良く、あるいは、四角や六角などの角柱状に形成しても良い。
【００３６】
さらにまた、図示した例では、構造を分かり易くするため、塗布具１１のキャップ１４の端部（上端）に芯材１４Ｂの端面が露呈した状態を示したが、この端面は必要に応じて非透光性材などを用いて外部から視認不可に塞がれるものである。
【図面の簡単な説明】
【００３７】
【図１】本発明に係る化粧筆を示した簡略斜視図である。
【図２】図１に示した化粧筆の筆軸部分の拡大斜視図である。
【図３】図２に示した筆軸の側面図である。
【図４】本発明に係る液体化粧料塗布具の分解斜視図である。
【図５】図４に示したキャップの平面図である。
【図６】筆軸やキャップの他の例を示した平面図である。
【符号の説明】
【００３８】
１  化粧筆
２  筆穂
３  口金
４  筆軸
１１  液体化粧料塗布具
１２  容器本体
１３  ブラシ軸
１４  キャップ
４Ａ，１４Ａ，２４Ａ  外部材
４Ａａ，１４Ａａ，２４Ａａ  中空部
４Ｂ，１４Ｂ，２４Ｂ  芯材
４Ｂｂ  外側面
４Ｂｃ  着色模様
【図１】
2005176863.tif 000003
【図２】
2005176863.tif 000004
【図３】
2005176863.tif 000005
【図４】
2005176863.tif 000006
【図５】
2005176863.tif 000007
【図６】
2005176863.tif 000008